(57)【特許請求の範囲】
【請求項１】
画像表示装置、音声発生装置、画像・音声記憶装置、電源、及びスイッチを表表紙及び／又は裏表紙に有する画像表示装置付き音の出る絵本であって、
前記絵本の本文には複数の指定個所が配置され、各指定個所を押すことで、
前記表表紙及び／又は裏表紙に設けた前記各指定箇所の下方にあるスイッチが押され、
前記各指定箇所に対応した画像が表示され、前記各指定箇所に対応した音声が発生する
ことを特徴とする画像表示装置付き音の出る絵本。
【請求項２】
画像表示装置、音声発生装置、画像・音声記憶装置、電源、及びスイッチを表表紙及び／又は裏表紙に有する画像表示装置付き音の出る絵本であって、前記絵本の本文には複数の画像が配置され、各画像を押すことで、前記表表紙及び／又は裏表紙に設けた前記各画像の下方にあるスイッチが押され、前記各画像に対応した画像が表示され、前記各画像に対応した音声が発生することを特徴とする画像表示装置付き音の出る絵本。
【請求項３】
前記絵本の本文の各頁が取り外し可能に表表紙及び／又は裏表紙に取付けられてなることを特徴とする請求項１、２のいずれか記載の画像表示装置付き音の出る絵本。
【発明の詳細な説明】
【０００１】
【発明の属する技術分野】
本発明は、特に幼児向絵本に、キャラクターなどの静／動画画像を表示する装置を組み込み、かつ音楽をはじめ擬音や音声などを発生する装置を組み込み、スイッチを操作することにより絵本の内容に対応した画像が表示され、音声が発生することができる、画像表示装置付き音の出る絵本に関する。
【０００２】
【従来の技術】
従来、このような絵本としては、特開平５−７６７０号公報にみられるような、バーコードと絵本の各頁に設け、これを読み取ることでバーコードに対応する画像と音声が出る絵本が示されている。しかしこの構造においては、バーコードにより絵本の絵柄の一部が隠されたものとなり、また構造が複雑なものとなり、幼児向け絵本としてはその読取り作業が必要であること、読取り作業が困難であること等が問題であった。
【０００３】
また、特開平６−２６２８７７号公報にみられるような、表表紙及び裏表紙の何れか一方に操作スイッチ、発音素子、液晶表紙装置を設けた書籍が示されている。しかしながらこの構造においては、操作スイッチは表表紙及び又は裏表紙の何れか一方にあり、書籍の内容と対応した構造ではないので、発音素子、液晶表示装置により示される情報と絵本の内容とを対応させるには別の手段が必要となってくるものであった。
【０００４】
【発明が解決しようとする課題】
本発明はこのような問題点を解決するためになされたものであり、その課題とするところは、特に幼児向絵本に、キャラクターなどの静／動画画像を表示する装置を組み込み、かつ音楽をはじめ擬音や音声などを発生する装置を組み込み、スイッチを操作することにより絵本の内容に対応した画像が表示され、音声が発生することができる、画像表示装置付き音の出る絵本を提供することにある。
【０００５】
【課題を解決するための手段】
本発明はこの課題を解決するため、すなわち請求項１記載の発明は、画像表示装置、音声発生装置、画像・音声記憶装置、電源、及びスイッチを表表紙及び／又は裏表紙に有する画像表示装置付き音の出る絵本であって、前記絵本の本文には複数の指定個所が配置され、各指定個所を押すことで、前記表表紙及び／又は裏表紙に設けた前記各指定箇所の下方にあるスイッチが押され、前記各指定箇所に対応した画像が表示され、前記各指定箇所に対応した音声が発生することを特徴とする画像表示装置付き音の出る絵本である。
【０００６】
本発明はこの手段により、従来の絵本の本文と接続するような構成と異なり、簡単に製造可能であり、かつ絵本の本文の製本の方法も特に限定されることもない。また絵本の本文は単独に印刷・製本をすることが可能であり、一般的な製造工程により製造可能となる。
【０００７】
また請求項２記載の発明は、画像表示装置、音声発生装置、画像・音声記憶装置、電源、及びスイッチを表表紙及び／又は裏表紙に有する画像表示装置付き音の出る絵本であって、前記絵本の本文には複数の画像が配置され、各画像を押すことで、前記表表紙及び／又は裏表紙に設けた前記各画像の下方にあるスイッチが押され、前記各画像に対応した画像が表示され、前記各画像に対応した音声が発生することを特徴とする画像表示装置付き音の出る絵本である。
【０００８】
本発明はこの手段により、従来の絵本の本文と接続するような構成と異なり、簡単に製造可能であり、かつ絵本の本文の製本の方法も特に限定されることもない。また絵本の本文は単独に印刷・製本をすることが可能であり、一般的な製造工程により製造可能となる。またさらに各画像を押すことでスイッチが押されることで、押す画像と表示される画像及び発生する音との対応がより容易に行えるものとなる。
【０００９】
また請求項３記載の発明は、前記絵本の本文の各頁が取り外し可能に表表紙及び／又は裏表紙に取付けられてなることを特徴とする請求項１、２のいずれか記載の画像表示装置付き音の出る絵本である。
【００１０】
本発明はこの手段により、絵本の本文が取り外し可能に表表紙及び／又は裏表紙に取り付けられてなるものであれば、製造工程も簡単なものとなり、流通上からの故障品などを容易に修理可能となる。
【００１１】
【発明の実施の形態】
以下、本発明を図面に基づき詳細に説明する。
図１に本発明の画像表示装置付き音の出る絵本の一実施例の構造を示す。絵本１の表表紙２及び／又は裏表紙３に画像表示装置４、音声発生装置５、画像・音声記憶装置６、電源７、スイッチとなるフィルム８を設けており、これらの上に絵本の本文（省略）が取り付けられてなる。
【００１２】
表表紙２及び／又は裏表紙３としては、その材料は特に限定しないが、表表紙及び／又は裏表紙に画像表示装置４、音声発生装置５、画像・音声記憶装置６、電源７、スイッチとなるフィルム８を有する構成であることから、その両方又は一方はある程度の厚みが必要となる。これらの部品を組み込む方法としては、厚みのある表表紙及び／又は裏表紙に凹部を設けそこに組み込む方法、通常の表表紙及び／又は裏表紙に底上げパッキングをしてその空洞に組み込む方法などが可能である。
【００１３】
画像表示装置４としては、画像・音声記憶装置６からの信号により画像を表示するものであり、上記書籍の表表紙又は裏表紙に組み込める程度の厚みのものが好ましく、特には液晶表示装置が好適であるが、とくにこれに限定したものではなく、上記厚みに設けることが可能である、後述する電源７により駆動するものであるならば適宜使用可能である。
【００１４】
音声発生装置５としては、画像・音声記憶装置６からの信号により音声を発生するものであり、上記書籍の表表紙又は裏表紙に組み込める程度の厚みのものが好ましく、特には薄板のスピーカーが好適に使用できるが、特にこれに限定したものではなく、上記厚みに設けることが可能であり、後述する電源７により駆動するものであるならば適宜使用可能である。
【００１５】
画像・音声記憶装置６としては、合成音信号を記憶再生するものであり、複数の記憶素子を組み合せたＩＣメモリー回路のモジュールが適宜使用可能である。この画像・音声記憶装置６は画像表示装置４、音声発生装置５、電源７、スイッチとなるフィルム８と、リード線、プリント配線等により接続される。
【００１６】
電源７としては、電池、バッテリー等を適宜使用可能である。
【００１７】
図２にスイッチとなるフィルム８の構造の一例を示す。
本発明に係るスイッチは、絵本を閉じた状態、各頁を開いた状態では接続されず、絵本の本文９の各頁の指定箇所を押すことで、前記表表示及び／又は裏表紙に設けた前記指定箇所の下方にあるスイッチが押される構造である。このようなスイッチとしては、プリント配線１０とそれとは層を別に設けた導電印刷層１１とからなり、圧力が加わることでこれらが接続されるスイッチとなるフィルム８が使用可能である。
【００１８】
図３に本発明の断面の構造の一例を示す。
スイッチとなるフィルム８は表表紙及び／又は裏表紙に設ける図３（ａ）ことも、裏表紙にのみ設ける図３（ｂ）ことも可能である。後者の場合は絵本の本文の指定箇所は裏表紙に接する頁にのみ設けられる。設ける方法としては、画像・音声記憶装置等と一体化してもよいし、表表紙及び／又は裏表紙に貼り付けても良い。さらにこの上に別のフィルムを設けても良いし、絵本の本文の頁を貼り付けても良い。
【００１９】
図４に本発明の断面の構造の他の例を示す。
絵本の本文９は綴じ方等は特に制限されないが、図４（ａ）に示すように中綴じのものが頁の折り返し等の点で好適に用いることが出来る。
しかし、本発明においては表表紙及び／又は裏表紙にある程度の厚みが必要になってくることから、無線綴じ、平綴じの場合は、例えば図４（ｂ）に示すように裏表紙が厚いものであるならば、まず背表紙１２の間隔を綴じの厚みと適合するものとし、表表紙と裏表紙の厚みの差１３の分、絵本の本文の綴じ部をおもて表紙がわにずらし（１４）て裏表紙がわに取り付けることで適用することが出来る。
【００２０】
絵本の本文９の各頁は表表紙及び／又は裏表紙と比較して薄いもので良く、後述するように、指定箇所を押すことでこの下方の表表紙及び／又は裏表紙のスイッチが押され、対応する画像が表示され、音声が発生することが可能となるものであれば適宜使用可能である。
【００２１】
絵本の本文９は表表紙及び／又は裏表紙に接する頁を表表紙及び／又は裏表紙に貼りつけることで絵本と一体化してもよいし、ピンなどで取り外し可能に表表紙及び／又は裏表紙に取り付けても良い。絵本の本文が取り外し可能に表表紙又は裏表紙に取り付けられてなるものであれば、製造工程も簡単なものとなり、流通上からの故障品などを容易に修理可能なものとなる。
【００２２】
以下、図５〜７に基づき、本発明の各ページの指定箇所を押すことで指定箇所に対応した画像が表示され、音声が発生する構造を説明する。いずれも裏表紙にのみスイッチとなるフィルムを設けた例である。
【００２３】
図５は表表紙を開いた状態を示す。
絵本の本文の表紙上に指定箇所を示す絵１５があり、この絵１５を押すことでこの下方にある裏表紙のスイッチとなるフィルムの一箇所１６が押される。この絵１５とフィルムの一箇所１６は頁上での相対位置が同じものとなっている。このフィルムの一箇所１６のスイッチが入ることで絵１５に対応した画像が表示され、音声が発生するという構造となる。
【００２４】
図６に絵本の本文を開いた状態を示す。
絵本の本文の頁に、図５の絵１５とは頁上での相対位置が異なる箇所に、指定箇所を示す絵１７があり、この箇所を押すことでこの下方にある裏表紙のスイッチとなるフィルムの一箇所１８が押される。ここで図５の絵１５と図６の絵１７が頁上での相対位置が異なることから図５でのフィルムの一箇所１６と図６でのフィルムの一箇所１８は異なった位置となる。そしてこのフィルムの一箇所１８のスイッチが入ることで絵１７に対応した画像が表示され、音声が発生するようにしておく。これにより絵１７を押すと対応した画像が表示され、音声が発生するという構造となる。
【００２５】
以上の構造を各頁に設けることが可能となる。またある頁とある頁において同様の画像と音声が出るようにしたい場合は対応するフィルムの一箇所を押すことで同様の画像が表示され音声が出るようにしても良いし、指定箇所を示す絵を頁の相対位置が同様の位置に設けることで、何れの頁の指定箇所を押し手も同様のフィルムの一箇所が押され、結果同様の画像が表示され音声が出るようにしても良い。
【００２６】
図７に絵本の本文の裏表紙を開いた状態を示す。
この頁に図に示すように一頁に複数の指定箇所の絵を設けても良いし、全ての指定箇所を示す絵を設けて、全ての対応する画像が表示され音声が出るようにしても良い。
【００２７】
【発明の効果】
本発明の請求項１記載の画像示装置付き音の出る絵本によれば、従来の絵本の本文と接続するような構成と異なり、簡単に製造可能であり、かつ絵本の本文の製本の方法も特に限定されることもない。また絵本の本文は単独に印刷・製本をすることが可能であり、一般的な製造工程により製造可能となるという効果を奏する。
【００２８】
また、請求項２記載の発明によれば、さらに各画像を押すことでスイッチが押されることで、押す画像と表示される画像及び発生する音との対応がより容易に行えるものとなるという効果を奏する。
【００２９】
また、請求項３記載の発明によれば、絵本の本文が取り外し可能に表表紙及び／又は裏表紙に取り付けられてなるものであれば、製造工程も簡単なものとなり、流通上からの故障品などを容易に修理可能となるという効果を奏する。
【図面の簡単な説明】
【図１】本発明の画像表示装置付き音の出る絵本の一実施例を示す説明図である。
【図２】本発明に係るスイッチとなるフィルムの構造の一例を示す説明図である。
【図３】本発明の画像表示装置付き音の出る絵本の一実施例の断面の構造を示す説明図である。
【図４】本発明の画像表示装置付き音の出る絵本の一実施例の断面の構造を示す説明図である。
【図５】本発明の画像表示装置付き音の出る絵本の表表紙を開いた状態を示す説明図である。
【図６】本発明の画像表示装置付き音の出る絵本の一実施例の絵本の本文の頁を開いた状態を示す説明図である。
【図７】本発明の画像表示装置付き音の出る絵本の一実施例の絵本の本文の裏表紙を開いた状態を示す説明図である。
【符号の説明】
１…絵本  ２…表表紙  ３…裏表紙  ４…画像表示装置  ５…音声発生装置
６…画像・音声記憶装置  ７…電源  ８…スイッチとなるフィルム
９…絵本の本文  １０…プリント配線  １１…導電印刷層  １２…背表紙
１３…表表紙と裏表紙の厚みの差  １４…綴じ部のずらし
１５…指定箇所を示す絵  １６…フィルムの一箇所  １７…指定箇所を示す絵
１８…フィルムの一箇所
【図１】
0004156130.tif 000002
【図２】
0004156130.tif 000003
【図３】
0004156130.tif 000004
【図４】
0004156130.tif 000005
【図５】
0004156130.tif 000006
【図６】
0004156130.tif 000007
【図７】
0004156130.tif 000008